(57)【要約】【課題】より優れた密封装置を提供すること。【解決手段】圧力容器１００を構成する第１部材１１０及び第２部材１２０の間にＯリング２００を装着してなる密封装置において、Ｏリングは、第１部材と当接する環状の頂部２１０を複数備え、複数の頂部がそれぞれ押し潰されてシール面を形成する構成の密封装置である。【選択図】        図２
2004204925.tif 000002
【特許請求の範囲】
【請求項１】
圧力容器を構成する第１部材及び第２部材の間にＯリングを装着してなる密封装置において、
前記Ｏリングは、前記第１部材と当接する環状の頂部を複数備え、前記複数の頂部がそれぞれ押し潰されてシール面を形成することを特徴とする密封装置。
【請求項２】
前記第１部材は鋳造品であることを特徴とする請求項１記載の密封装置。
【請求項３】
前記圧力容器は、冷凍サイクルの圧縮機を収納するハウジングであることを特徴とする請求項１又は２記載の密封装置。
【請求項４】
前記圧力容器は、冷凍サイクルの配管継手であることを特徴とする請求項１又は２記載の密封装置。
【発明の詳細な説明】
【０００１】
【発明が属する技術分野】
本発明は、Ｏリングを用いてなる密封装置に関する。
【０００２】
【従来の技術】
一般に、冷凍サイクルの圧縮機等に用いられる圧力容器は、複数のハウジング部材を組み付けて構成されている。また、圧力容器の密封性を確保する密封装置は、各ハウジング部材の間にＯリングを装着して構成されている。特許文献１及び２には、この種の密封装置を備えた圧力容器が開示されている。
【０００３】
更に、Ｏリングを複数設けた密封装置によれば、圧力容器の密封性は一層向上することも可能である。特許文献３及び４には、複数のＯリングを用いてなる密封装置を備えた圧力容器が開示されている。
【０００４】
【特許文献１】実開昭５１−５９９０４号公報
【特許文献２】特開平１１−３０３９９８号公報
【特許文献３】特開２０００−１７０６５６号公報
【特許文献４】特開２００１−４２５１号公報
【０００５】
【発明が解決しようとする課題】
ところで、前述したように複数のＯリングを用いてなる密封装置は、Ｏリングが１つの密封装置と比較すると、密封性の確保がより確実になされるので、非常に良品率に優れたものとなる。但し、このように複数のＯリングを用いることによれば、部品点数の増加や、組み付け工程の複雑化等を招くという不都合もあり、圧力容器の製造現場においては、より確実な密封性の確保とともに、こうした不都合を回避するための構成が強く求められている。
【０００６】
本発明は、かかる事情に鑑みてなされたものであり、その目的は、より優れた密封装置を提供することである。
【０００７】
【課題を解決するための手段】
本願第１請求項に記載した発明は、圧力容器を構成する第１部材及び第２部材の間にＯリングを装着してなる密封装置において、前記Ｏリングは、前記第１部材と当接する環状の頂部を複数備え、前記複数の頂部がそれぞれ押し潰されてシール面を形成する構成の密封装置である。このような構成によると、優れた密封装置が得られる。
【０００８】
すなわち、本発明の密封装置によれば、Ｏリングと第１部材との間には、複数の頂部がそれぞれ押し潰されることにより環状のシール面が複数形成される。従って、圧力容器の密封性はより確実に確保される。このように本発明は、第１部材と当接する環状の頂部を複数備えたＯリングを用いることにより、部品点数の増加や組み付け工程の複雑化等を回避しつつ密封性を向上するという顕著な効果を達成した密封装置である。
【０００９】
本願第２請求項に記載した発明は、請求項１において、前記第１部材は鋳造品である構成の密封装置である。
【００１０】
鋳造品の表面には、巣（gross porosity）と称する小さなガスポケットや細孔が形成される場合がある。こうした鋳造品の巣は、Ｏリングによるシール面を偶然横切ると、これが密封不良の原因となる。この点、良品率を向上するには、Ｏリングによるシール面の幅を十分に大きく設定したり、Ｏリングを複数設けたりするとよいのであるが、本願発明者は、鋳造品の巣を原因として偶然に発生する密封不良に対処するべく、非常に大きなＯリングを用いたり、Ｏリングの数を増やしたりすることは、あまり効率のよい方法ではないと考え、本発明を提案した。
【００１１】
そして、本願発明者は、鋳造品を用いた圧力容器の密封装置について、従来のＯリングを１つ用いた場合と、２つの頂部を備えたＯリングを１つ用いた場合との密封不良率を試験的に比較した。尚、ここで用いた従来のＯリングは、形成されるシール面の幅を約０．２ｍｍとした。また、２つの頂部を備えたＯリングは、形成されるシール面の幅を各頂部毎にそれぞれ約０．１ｍｍとするとともに、各頂部の中心から中心までの幅を約１．５ｍｍとした。その結果、密封不良率は、従来の場合は０．５％であるのに対し、本発明の場合は０．０２％となり、本発明の密封装置が極めて有効であることが確認された。つまり本発明は、頂部同士がある程度の間隔を持つことにより、鋳造品の巣が両者のシール面を完全に横切ることながいように構成されたものである。
【００１２】
このように、本発明の密封装置は、特に鋳造品を用いてなる圧力容器を密封するものとして、非常に好適に利用することが可能である。
【００１３】
本願第３請求項に記載した発明は、請求項１又は２において、前記圧力容器は、冷凍サイクルの圧縮機を収納するハウジングである構成の密封装置である。すなわち本発明の密封装置は、かかるハウジングを密封するものとして、極めて好適に利用することが可能である。
【００１４】
本願第４請求項に記載した発明は、請求項１又は２において、前記圧力容器は、冷凍サイクルの配管継手である構成の密封装置である。すなわち本発明の密封装置は、かかる配管継手を密封するものとして、極めて好適に利用することが可能である。
【００１５】
【発明の実施の形態】
以下に、本発明の具体例を図面に基づいて説明する。図１に示す本例の密封装置１は、圧力容器１００を構成する第１ハウジング部材１１０及び第２ハウジング部材１２０の間に所定の硬度を有する合成樹脂製のＯリング２００を装着してなるものである。また、本例の圧力容器１００は、冷凍サイクルの圧縮機を収納するハウジングである。第１ハウジング部材１１０及び第２ハウジング部材１２０は、略円筒形状を呈するアルミ合金製の鋳造品である。
【００１６】
これらのハウジング部材１１０，１２０は、第１ハウジング部材１１０の開口部１１１に第２ハウジング部材１２０の開口部１２１を挿入して組み付けられる。第１ハウジング部材１１０の内周面には、第２ハウジング部材１２０の開口部１２１の挿入量を規制する段部１１２が設けられている。つまり第２ハウジング部材１２０は、その開口部１２１を段部１１２に突き当てることによって位置決めされている。
【００１７】
また、第１ハウジング部材１１０にて覆われる第２ハウジング部材１２０の外周面には、Ｏリング２００を嵌め込む環状の溝部１２２が設けられている。Ｏリング２００は、溝部１２２に嵌め込まれた状態で第２ハウジング部材１２０とともに第１ハウジング部材１１０の開口部１１１に挿入され、それらのハウジング部材１１０，１２０の間に装着される。
【００１８】
図２に示すように、本例のＯリング２００は、第１ハウジング部材１１０と当接する環状の頂部２１０を２つ備えたものである。また、第２ハウジング部材１２０との当接部２２０は、溝部１２２の底面に圧接される平坦面となっている。そして、第１ハウジング部材１１０と当接する２つの頂部２１０は、第２ハウジング部材１２０を第１ハウジング部材１１０の開口部１１１に挿入するとともに、それぞれ押し潰されてシール面を形成する。
【００１９】
本例の場合、頂部２１０が押し潰されて形成されるシール面の幅は、各頂部２１０毎にそれぞれ約０．０５〜０．４ｍｍとなっている。また、各頂部２１０の中心から中心までの幅Ｄは、約１．０〜５．０ｍｍとなっている。これらの数値は、現状の製造技術を踏まえつつ、圧力容器１００たる圧縮機のハウジングに用いる密封装置１としての耐圧性能や、使用するＯリング２００の性能や、鋳造品に発生する巣の大きさ等を考慮して設定された良好な寸法範囲を示すものである。
【００２０】
尚、本例では２つの頂部２１０を備えたＯリング２００を採用したが、或いは図３に示すように、３つ又はそれ以上の頂部２１０を備えたＯリング２００を採用することも可能である。この場合は、最も離れた頂部２１０同士の中心から中心までの幅Ｄが約１．０〜５．０ｍｍとなる。
【００２１】
また図４に示すように、Ｏリング２００における第２ハウジング部材１２０との当接部２２０は、第１ハウジング部材１１０と当接する頂部２１０と同様に構成してもよい。図例したものは、第２ハウジング部材１２０との当接部２２０を頂部２１０と対称的に構成したものであり、当接部２２０の間隔ｄは、頂部２１０の間隔Ｄと等しいものとなっている。
【００２２】
更に本例の密封装置１は、冷凍サイクルの圧縮機を収納するハウジングを密封するものであるが、このように複数の頂部２１０を備えたＯリング２００を用いる構成は、例えば冷凍サイクルの配管継手を密封する装置として応用することも可能である。
【００２３】
【発明の効果】
以上説明したように、本発明は、圧力容器を構成する第１部材及び第２部材の間にＯリングを装着してなる密封装置において、前記Ｏリングは、前記第１部材と当接する環状の頂部を複数備え、前記複数の頂部がそれぞれ押し潰されてシール面を形成する構成の密封装置である。このような構成によると、優れた密封装置を得ることができる。
【図面の簡単な説明】
【図１】本発明の具体例に係り、密封装置を示す断面図である。
【図２】本発明の具体例に係り、Ｏリングの断面図である。
【図３】本発明の具体例に係り、Ｏリングの断面図である。
【図４】本発明の具体例に係り、Ｏリングの断面図である。
【符号の説明】
１      密封装置
１００      圧力容器
１１０      第１ハウジング部材
１１１      開口部
１１２      段部
１２０      第２ハウジング部材
１２１      開口部
１２２      溝部
２００      Ｏリング
２１０      頂部
２２０      第２ハウジング部材との当接部
【図１】
2004204925.tif 000003
【図２】
2004204925.tif 000004
【図３】
2004204925.tif 000005
【図４】
2004204925.tif 000006